(57)【要約】      （修正有）【課題】被加工材に対し先端工具を介して所定の打撃作業を行う打撃工具において、打撃作業時の作業者負担を軽減させるのに有効な技術を提供する。【解決手段】電動ハンマは、被加工材に対しハンマビットを介して打撃作業を行う打撃工具であって、ハンマビットが装着される本体部と、本体部に収容され、打撃作業時にハンマビットを所定の打撃方向に駆動するための駆動機構と、本体部を支持するための支持脚１３０と、本体部に設けられ、支持脚１３０が作業者によって取り外し自在に取り付けられる被取り付け部１２０と、を備え、支持脚１３０は、被取り付け部１２０に取り付けられた状態で、打撃方向と交差する方向に延在する要素を含むように構成されている。【選択図】図５
2012254485.tif 000002
【特許請求の範囲】
【請求項１】
被加工材に対し先端工具を介して打撃作業を行う打撃工具であって、
前記先端工具が装着される工具本体と、
前記工具本体に収容され、前記打撃作業時に前記先端工具を所定の打撃方向に駆動するための駆動機構と、
前記工具本体を支持するための支持脚と、
前記工具本体に設けられ、前記支持脚が作業者によって取り外し自在に取り付けられる被取り付け部と、
を備え、
前記支持脚は、前記被取り付け部に取り付けられた状態で、前記先端工具の前記打撃方向と交差する方向に延在する要素を含むように構成されていることを特徴とする打撃工具。
【請求項２】
請求項１に記載の打撃工具であって、
前記支持脚は、１つの長尺部材として構成され、前記被取り付け部に取り付けられた状態で、前記打撃方向と交差する方向に長尺状に延在するとともに、前記被取り付け部とは反対側の端部に接地時の滑り止めを行うための滑り止め部を備えることを特徴とする打撃工具。
【請求項３】
請求項２に記載の打撃工具であって、
前記支持脚は、当該支持脚の延在方向について長さ調整を行うための長さ調整機構を備えることを特徴とする打撃工具。
【請求項４】
請求項１から３のうちのいずれか一項に記載の打撃工具であって、
前記先端工具は、前記打撃方向の長軸上に延在するハンマビットとして構成され、
前記工具本体は、前記ハンマビットの長軸に沿って長手状に延在し、前記ハンマビットが装着される第１の端部領域と、前記第１の端部領域とは反対側の第２の端部領域と、前記第２の端部領域に設けられ、作業者によって把持される第１把持領域を有するメインハンドルと、前記第１の端部領域と前記第２の端部領域との間に設けられ、作業者によって把持される第２把持領域を有するサイドハンドルとを備え、前記サイドハンドルに前記被取り付け部が設けられていることを特徴とする打撃工具。
【請求項５】
請求項４に記載の打撃工具であって、
前記被取り付け部は、前記支持脚に設けられた突部を収容する筒状の収容筒部と、前記収容筒部の内壁に設けられ、前記支持脚の前記突部に形成されたネジ山と螺合可能なネジ溝とを備え、作業者によって前記ネジ山と前記ネジ溝とを互いに螺合させつつ前記突部を前記収容筒部に収容することで、前記支持脚が前記被取り付け部に取り付けられることを特徴とする打撃工具。
【発明の詳細な説明】
【技術分野】
【０００１】
本発明は、先端工具を介して被加工材に対し所定の打撃作業を行う打撃工具に関する。
【背景技術】
【０００２】
従来、例えば下記特許文献１には、この種の打撃工具として、先端工具によって被加工材を打撃する構成の電動ハンマが開示されている。この電動ハンマによる作業形態として、本体部に設けられたハンドル等を作業者が手指で把持した状態で所定の打撃作業を継続して行うことが想定されるが、このような打撃作業を長時間行う場合には、作業者にかかる負担が増えるという問題が生じる。特に、打撃工具が大型の重量物であるような場合には、作業者にかかる負担の増加がより顕著なものとなる。そこで、電動ハンマをはじめとするこの種の打撃工具の設計に際しては、打撃作業時の作業者負担を軽減させるのに有効な技術が要請される。
【０００３】
【先行技術文献】
【特許文献】
【０００４】
【特許文献１】特開２００８−２７９５８７号公報
【発明の概要】
【発明が解決しようとする課題】
【０００５】
本発明は、上記の点に鑑みてなされたものであり、先端工具を介して被加工材に対し所定の打撃作業を行う打撃工具において、打撃作業時の作業者負担を軽減させるのに有効な技術を提供することを目的とする。
【課題を解決するための手段】
【０００６】
上記課題を解決するため、請求項にかかる本発明の打撃工具が構成される。
【０００７】
本発明にかかる打撃工具は、被加工材に対し先端工具を介して打撃作業を行う工具であり、その構成要素として、工具本体、駆動機構、支持脚及び被取り付け部を含む。先端工具は、打撃工具の各部位のうち被加工材に直に作用する先端側の部位として構成される。この場合、先端工具は、当該打撃工具の一構成要素とされてもよいし、或いは当該打撃工具とは別個の構成要素とされてもよい。駆動機構は、工具本体に収容され、打撃作業時に先端工具を所定の打撃方向に駆動するための機構として構成される。支持脚は、工具本体を支持するために設けられる。被取り付け部は、工具本体に設けられ、支持脚が作業者によって取り外し自在に取り付けられる部位として構成される。即ち、工具本体の被取り付け部に作業者によって支持脚が取り付けられた状態、或いは作業者によって当該被取り付け部から支持脚が取り外された状態が形成される。また、本構成の打撃工具には、被取り付け部が工具本体自体に設けられる形態や、工具本体に取り付けられた部材に間接的に設けられる形態等が包含される。
【０００８】
上記構成によれば、作業者は工具本体の重量を支える役割を支持脚との間で分担することによって、即ち支持脚による重量物支持のアシスト効果によって、打撃作業時の作業者負担を軽減させることができる。従って、打撃工具が大型の重量物であるような場合であっても、支持脚を使用することで長時間にわたって所望の作業性を確保することができる。
【０００９】
また支持脚は、被取り付け部に取り付けられた状態で、先端工具の打撃方向と交差する方向に延在する要素を含むように構成される。これにより、被取り付け部に支持脚が取り付けられた状態で打撃作業を行う際に、先端工具の打撃方向の動作が支持脚によって阻害されるのを抑えることができる。なお本構成の打撃工具には、支持脚が打撃方向と交差する方向にのみ延在する１又は複数の要素によって構成される態様や、更に当該要素の延在方向とは別方向に延在する要素が付加された態様等が包含される。
【００１０】
本発明にかかる更なる形態の打撃工具では、支持脚は、１つの長尺部材として構成され、被取り付け部に取り付けられた状態で、打撃方向と交差する方向に長尺状に延在するとともに、被取り付け部とは反対側の端部に接地時の滑り止めを行うための滑り止め部を備えるのが好ましい。これにより、１つの長尺部材の接地部分のみを支点として、工具本体を種々の方向に容易に移動させて打撃作業を行うことができる。更に、支持脚を接地面に接地するのに要する領域が少なくて済む。このとき、接地面に対する支持脚の接地効果を、滑り止め部によってより確実なものとすることができる。
【００１１】
本発明にかかる更なる形態の打撃工具では、支持脚は、当該支持脚の延在方向について長さ調整を行うための調整機構を備えるのが好ましい。これにより、工具本体が支持脚によって支持された状態で当該支持脚の長さ調整を行うことができ、支持脚の長さ調整を行いつつ打撃作業を行うような作業形態の要請に応えることができる。
【００１２】
本発明にかかる更なる形態の打撃工具では、先端工具は、打撃方向の長軸上に延在するハンマビットとして構成され、工具本体は、ハンマビットの長軸に沿って長手状に延在し、ハンマビットが装着される第１の端部領域と、第１の端部領域とは反対側の第２の端部領域と、第２の端部領域に設けられ、作業者によって把持される第１把持領域を有するメインハンドルと、第１の端部領域と第２の端部領域との間に設けられ、作業者によって把持される第２把持領域を有するサイドハンドルとを備え、サイドハンドルに被取り付け部が設けられているのが好ましい。これにより、工具本体の既存のサイドハンドルに被取り付け部を設けることによって、支持脚を取り付けるための部品を新たに設ける必要がなく、支持脚のための部品点数を抑えることが可能となる。この場合、サイドハンドルは、作業者によって把持されるという本来の機能に加えて、支持脚を取り付けるための領域を提供するという機構も兼ね備えるため合理的である。
【００１３】
本発明にかかる更なる形態の打撃工具では、被取り付け部は、支持脚に設けられた突部を収容する筒状の収容筒部と、収容筒部の内壁に設けられ、支持脚の突部に形成されたネジ山と螺合可能なネジ溝とを備えるのが好ましい。本構成において、作業者によってネジ山とネジ溝とを互いに螺合させつつ突部を収容筒部に収容することで、支持脚が被取り付け部に取り付けられる。これにより、支持脚の取り付け及び取り外しを簡便に行うことが可能な被取り付け部の構造が実現される。
【発明の効果】
【００１４】
本発明によれば、先端工具を介して被加工材に対し所定の打撃作業を行う打撃工具において、打撃作業時の作業者負担を軽減させることが可能となった。
【図面の簡単な説明】
【００１５】
【図１】本発明にかかる一実施形態の電動ハンマ１０１の全体構造を示す側面図である。
【図２】図１中の電動ハンマ１０１の本体部１０３及びその周辺部分を側面からみた図である。
【図３】図２中の電動ハンマ１０１の本体部１０３及びその周辺部分を正面からみた図である。
【図４】図２中の電動ハンマ１０１のＢ−Ｂ線に関する断面構造を示す図である。
【図５】図１中の電動ハンマ１０１のＡ−Ａ線に関する断面構造を示す図である。
【図６】図１中の電動ハンマ１０１の第１の使用形態を説明する図である。
【図７】図１中の電動ハンマ１０１の第２の使用形態を説明する図である。
【発明を実施するための形態】
【００１６】
以下、本発明の実施形態を、図面を参照しつつ詳細に説明する。図１には、本発明にかかる「打撃工具」の一例である電動ハンマ１０１の全体構造が示されている。この電動ハンマ１０１は、被加工材に対し先端工具を介して打撃作業を行う打撃工具として構成されている。この電動ハンマ１０１は、図１に示すように、当該電動ハンマの外郭ないしハウジング（収容体）を構成する本体部１０３と、本体部１０３に装着され、打撃作業（「ハンマ作業」ないし「ハツリ作業」ともいう）の際に被加工材Ｗを打撃するためのハンマビット１１９と、作業者によって本体部１０３に着脱自在に取り付けられる支持脚１３０とに大別される。
【００１７】
本体部１０３及びその周辺部分の構造については図２が参照される。図２に示されるように、ハンマビット１１９は、所定の打撃方向の長軸上に延在する工具として構成されている。このハンマビット１１９は、電動ハンマ１０１の各部位のうち被加工材Ｗに直に作用する先端側の部位として構成される。この場合、ハンマビット１１９は、電動ハンマ１０１の一構成要素とされてもよいし、或いは電動ハンマ１０１とは別個の構成要素とされてもよい。ここでいうハンマビット１１９が、本発明における「先端工具」及び「ハンマビット」に相当する。本体部１０３は、ハンマビット１１９の長軸に沿って長手状に延在し、ツールホルダ１１１を介してハンマビット１１９が装着される第１の端部領域１０３ａ（図２中の左側の端部領域）と、第１の端部領域１０３ａとは反対側の第２の端部領域１０３ｂ（図２中の右側の端部領域）と、メインハンドル１１３及びサイドハンドル１１５を有する。ここでいう本体部１０３、第１の端部領域１０３ａ及び第２の端部領域１０３ｂがそれぞれ、本発明における「工具本体」、「第１の端部領域」及び「第２の端部領域」に相当する。
【００１８】
上記構成の本体部１０３は、更に電動モータ１０５、運動変換機構１０７及び打撃要素１０９からなる、ハンマビット１１９を駆動するための駆動機構を収容する。運動変換機構１０７は、電動モータ１０５の回転出力を打撃要素１０９の直線運動に変換する機能を果たす。打撃要素１０９は、その直線運動によってハンマビット１１９に対し当該ハンマビット１１９の長軸に沿った方向（「打撃方向」ともいう）の打撃力を付与する機能を果たす。図２では、ハンマビット１１９のこの打撃方向が矢印１０によって示されている。上記の駆動機構は、本体部１０３に収容され、打撃作業時にハンマビット１１９を打撃方向に駆動するための機構（本発明における「駆動機構」に相当する）として構成される。
【００１９】
メインハンドル１１３は、本体部１０３の第２の端部領域１０３ｂに設けられ、打撃作業時等に、作業者の手指によって把持される把持部１１３ａを有する。ここでいうメインハンドル１１３及びその把持部１１３ａがそれぞれ、本発明における「メインハンドル」及び「第１把持領域」に相当する。なお、本明細書では、便宜上、本体部１０３の第１の端部領域１０３ａ側、即ちツールホルダ１１１側を電動ハンマ１０１の「前側」ないし「前方側」といい、本体部１０３の第２の端部領域１０３ｂ側、即ちメインハンドル１１３側を電動ハンマ１０１の「後側」ないし「後方側」という。
【００２０】
サイドハンドル１１５は、本体部１０３のうち第１の端部領域１０３ａと第２の端部領域１０３ｂとの間に設けられ、本体部１０３の側面から当該本体部１０３の延在方向と交差する方向に延出するように構成されている。このサイドハンドル１１５は、典型的にはメインハンドル１１３に対する補助的なハンドルとして構成され、後述する把持部１１５ｂを有する。作業者は、メインハンドル１１３及びサイドハンドル１１５の双方の把持部を共に把持した状態で、所望の打撃作業を行うことができる。ここでいうサイドハンドル１１５が本発明における「サイドハンドル」に相当する。
【００２１】
上記サイドハンドル１１５の詳細な構成については、図３及び図４が参照される。これら図３及び図４に示すように、サイドハンドル１１５は、本体部１０３の被締付部１０４のまわりに取り付けられる締付部１１５ａと、当該締付部１１５ａに連接する把持部１１５ｂとに大別される。この場合、被締付部１０４は、本体部１０３の各部位のうち、ハンマビット１１９の長軸と交差する方向の断面が略円筒状に構成された部位として構成される。把持部１１５ｂは、作業者の手指によって直に把持される把持領域として構成される。ここでいう把持部１１５ｂが、本発明における「第２把持領域」に相当する。
【００２２】
締付部１１５ａは、いわゆるネジ式の締付バンドの形態を有し、一対の締付アーム１１６，１１７及びネジ部材１１８を備える。締付アーム１１６，１１７はいずれも被締付部１０４のまわりを囲むように当該被締付部１０４の形状に対応した略半円状のアーム部材として構成されている。締付アーム１１６，１１７は、一方の端部１１６ａ，１１７ａが連結軸１１６ｃによって回転可能に互いに連結され、他方の端部１１６ｂ，１１７ｂがともにネジ部材１１８のネジ軸１１８ａに係合している。
【００２３】
本構成において、ネジ部材１１８の操作部１１８ｂがネジ軸１１８ａまわりの締付方向に回転操作されると、ネジ軸１１８ａによって締付アーム１１６，１１７の他方の端部１１６ｂ，１１７ｂに対して互いに近接する方向の荷重が付与されて、被締付部１０４に所定の締付力が付与される。これにより、サイドハンドル１１５を本体部１０３の被締付部１０４のまわりの任意の位置に締付固定することができる。なお、上記のようにサイドハンドル１１５を本体部１０３と別体構造とする形態に代えて、サイドハンドル１１５を本体部１０３と一体化した構造を採用することもできる。
【００２４】
サイドハンドル１１５には、更に締付部１１５ａのうちの一方の締付アーム１１７の下部に、支持脚１３０を取り付けるための被取り付け部１２０が設けられている。即ち、本実施の形態では、本体部１０３に被取り付け部１２０を設ける１つの態様として、本体部１０３に取り付けられたサイドハンドル１１５に被取り付け部１２０を設ける態様を採用している。支持脚１３０は、本体部１０３を支持する機能（自重支持機能）を果たすものであり、本実施の形態では、被取り付け部１２０に取り付けられた状態では、ハンマビット１１９による打撃方向と交差する方向に延在する（一直線上に延在する）円筒形状の１つの長尺部材として構成されている。この場合、支持脚１３０の全体がハンマビット１１９の打撃方向と交差する方向に延在する要素となる。ここでいう支持脚１３０が、本発明における「支持脚」及び「長尺部材」に相当する。この支持脚１３０は、その断面形状が円筒形とされる構成以外に、楕円形、多角形等、種々の断面形状を有する構成を採用することができる。
【００２５】
一方で、サイドハンドル１１５の被取り付け部１２０は、支持脚１３０の一方の端部１３０ａ（支持脚１３０に設けられた突部）を収容する円筒状（凹状）の収容筒部１２１を備え、この収容筒部１２１の内壁には、支持脚１３０の一方の端部１３０ａに形成されたネジ山１３０ｂと螺合可能なネジ溝１２１ａが形成されている。即ち、被取り付け部１２０（収容筒部１２１）は、本体部１０３側に設けられ、当該本体部１０３を支持するための支持脚１３０が作業者によって取り外し自在に取り付けられる部位として構成される。ここでいう被取り付け部１２０、収容筒部１２１及びネジ溝１２１ａがそれぞれ、本発明における「被取り付け部」、「収容筒部」及び「ネジ溝」に相当する。また、ここでいう一方の端部１３０ａ及びネジ山１３０ｂがそれぞれ、本発明における「凸部」及び「ネジ山」に相当する。
【００２６】
本構成によれば、支持脚１３０側のネジ山１３０ｂと収容筒部１２１側のネジ溝１２１ａとの螺合によって、サイドハンドル１１５の下部に支持脚１３０を取り付けることができる。即ち、支持脚１３０は、一方ではそのネジ込み操作によってサイドハンドル１１５に取り付けることができ、他方ではそのネジ戻し操作によってサイドハンドル１１５から取り外すことができるように、サイドハンドル１１５に対して着脱自在に構成されている。これにより、支持脚１３０の取り付け及び取り外しを簡便に行うことが可能な被取り付け部１２０の構造が実現される。
【００２７】
支持脚１３０の全体構成については、図１に関連して図５が参照される。図５に示されるように、支持脚１３０は、いずれも断面円筒状の第１の筒体１３１及び第２の筒体１３２と、バネ部材１３３及滑り止め部材１３６を含む。
【００２８】
第２の筒体１３２は、第１の筒体１３１の内径を若干下回る外径を有し、第１の筒体１３１の筒内に収容された状態で第１の筒体１３１に対して支持脚１３０の長尺延在方向（図５中の矢印１１方向及び矢印１２方向）にスライド移動（「直線移動」ともいう）できるように構成されている。バネ部材１３３は、その一方の端部１３３ａが第１の筒体１３１に固定される一方で、その他方の端部１３３ｂが第２の筒体１３２に固定されている。これにより、第１の筒体１３１の筒内に収容された第２の筒体１３２は、バネ部材１３３によって支持脚１３０の長尺延在方向に関し第１の筒体１３１から離間するように弾性付勢されている。
【００２９】
また、第１の筒体１３１には、支持脚１３０の長尺延在方向に沿って上縁１３４ａと下縁１３４ｂとの間で長尺状に延在するガイド孔１３４が設けられている。このガイド孔１３４は、第２の筒体１３２に取り付けられたガイドピン１３５を支持脚１３０の長尺延在方向に案内する機能を果たす。従って、第２の筒体１３２は、バネ部材１３３によって第１の筒体１３１から離間する方向へと弾性付勢された状態で、ガイドピン１３５がガイド孔１３４の上縁１３４ａに当接する第１の位置と、ガイドピン１３５がガイド孔１３４の下縁１３４ｂに当接する第２の位置との間を第１の筒体１３１に対して相対移動することができる。即ち、ガイド孔１３４の上縁１３４ａが支持脚１３０の最小長さを規定し、ガイド孔１３４の下縁１３４ｂが支持脚１３０の最大長さを規定する。この場合、第２の筒体１３２が第２の位置から第１の位置に近接するにつれてバネ部材１３３が押し縮められていくため、バネ部材１３３における弾性付勢力は増大する。
【００３０】
上記構成の支持脚１３０によれば、第１の筒体１３１及び第２の筒体１３２を、バネ部材１３３の弾性付勢力に抗して互いに近接する方向にスライド移動させることによって、支持脚１３０の全長が相対的に小さくなるような長さ調整を行うことができる。一方で、第１の筒体１３１及び第２の筒体１３２を、バネ部材１３３の弾性付勢力にしたがって互いに離間する方向にスライド移動させることによって支持脚１３０の全長が相対的に大きくなるような長さ調整を行うことができる。即ち、本実施の形態の支持脚１３０は、その長尺延在方向、即ち打撃方向と交差する方向について当該支持脚１３０の長さ調整を行うための長さ調整機構（本発明における「長さ調整機構」に相当する）を備えている。必要に応じては、この長さ調整機構を省略し、支持脚１３０の長さが常時に一定とされた構成を採用することもできる。
【００３１】
滑り止め部材１３６は、第２の筒体１３２の両端部のうち第１の筒体１３１と反対側の端部に取り付けられる。当該端部は、支持脚１３０のうち被取り付け部１２０側の一方の端部１３０ａとは反対側の他方の端部１３０ｃとしても構成される。この滑り止め部材１３６は、接地時の滑り止めを行うべく、接地面Ｇとの間で所望の滑り止め効果を生じるような摩擦係数に設定されている。典型的には、ゴム材料や樹脂材料によってこの滑り止め部材１３６が構成される。これにより、接地面Ｇに対する支持脚１３０の所望の滑り止め効果が生じる。また、滑り止め部材１３６には貫通孔１３７が設けられており、第２の筒体１３２の筒内と支持脚１３０外の空間とがこの貫通孔１３７を通じて連通される。この貫通孔１３７は、打撃作業時に支持脚１３０の内部に混入した粉塵等を、支持脚１３０外の空間へと逃がす機能を果たす。ここでいう滑り止め部材１３６が、本発明における「滑り止め部材」に相当する。必要に応じては、この滑り止め部材１３６を省略し、支持脚１３０の他方の端部１３０ｃが直に接地されるように構成することもできる。
【００３２】
上記構成の電動ハンマ１０１の作用については、図１に関連して図６および図７が参照される。電動ハンマ１０１による打撃作業時には、前述の駆動機構によって直線的に駆動されたハンマビット１１９を目的の被加工材に作用させる。この打撃作業に際し、サイドハンドル１１５の被取り付け部１２０に予め支持脚１３０が取り付けられる。これにより、支持脚１３０が滑り止め部材１３６を介して接地面に接地されると、本体部１０３は、支持脚１３０によって下方から支持される。その後、上記構成の電動ハンマ１０１を例えば以下のような使用形態で使用することによって、所望の打撃作業を行うことができる。
【００３３】
＜第１の使用形態＞
図６に示すように、第１の使用形態では、作業者はメインハンドル１１３及びサイドハンドル１１５の把持部をそれぞれ把持し、支持脚１３０を滑り止め部材１３６を介して接地面Ｇに接地した状態に設定される。そして、当該滑り止め部材１３６を支点として、本体部１０３を電動ハンマ１０１の前後方向（図６中の矢印１３及び１４方向）に回動させつつハンマビット１１９を介して打撃作業を行うことができる。
【００３４】
＜第２の使用形態＞
図７に示すように、第２の使用形態では、作業者はメインハンドル１１３及びサイドハンドル１１５の把持部をそれぞれ把持し、支持脚１３０を滑り止め部材１３６を介して接地面Ｇに接地した状態に設定される。そして、当該滑り止め部材１３６を支点として、本体部１０３を電動ハンマ１０１の上下方向（図７中の矢印１５及び１６方向）に移動させつつハンマビット１１９を介して打撃作業を行うことができる。このとき、支持脚１３０が前述の長さ調整機構を備えているため、支持脚１３０を適宜の長さに調整し、ハンマビット１１９を適宜の高さに調整しつつ所望の打撃作業を行うことができる。具体的には、作業者が本体部１０３を下方へと押し下げる押し荷重、或いは本体部１０３の自重によって、支持脚１３０はバネ部材１３３の弾性付勢力に抗してその全長が短くなるため、接地面Ｇからのハンマビット１１９の高さを押し下げ操作前よりも低所に設定することができる。一方で、当該押し荷重の解除によって、支持脚１３０はバネ部材１３３の弾性付勢力にしたがってその全長が長くなるため、接地面Ｇからのハンマビット１１９の高さを押し下げ操作時よりも高所に設定することができる。
【００３５】
＜第３の使用形態＞
第３の使用形態では、作業者はメインハンドル１１３及びサイドハンドル１１５の把持部をそれぞれ把持し、支持脚１３０を滑り止め部材１３６を介して接地面Ｇに接地した状態に設定される。そして、当該滑り止め部材１３６を支点として、本体部１０３を電動ハンマ１０１の左右方向（図５中の左右方向）に回動させつつハンマビット１１９を介して打撃作業を行うことができる。
【００３６】
＜第４の使用形態＞
第４の使用形態では、上記の第１〜第３の使用形態のうちの複数を適宜に組み合わせて所望の打撃作業を行うことができる。
【００３７】
上記実施の形態によれば、サイドハンドル１１５に支持脚１３０用の被取り付け部１２０を設けることによって、打撃作業時に被取り付け部１２０に取り付けた支持脚１３０を介して本体部１０３を支持することができる。これにより、作業者は本体部１０３の重量を支える役割を支持脚１３０との間で分担することによって、即ち支持脚１３０による重量物支持のアシスト効果によって、打撃作業時の作業者負担を軽減させることができる。従って、打撃工具が大型の重量物であるような場合であっても、支持脚１３０を使用することで長時間にわたって所望の作業性を確保することができる。
【００３８】
また上記実施の形態によれば、支持脚１３０がハンマビット１１９の打撃方向と交差して延在する構成であるため、ハンマビット１１９の打撃方向の動作が支持脚１３０によって阻害されるのを抑えることができる。
【００３９】
また上記実施の形態によれば、支持脚１３０を１つの長尺部材として構成することで、１つの長尺部材の接地部分のみを支点として、本体部１０３を種々の方向に容易に移動させて打撃作業を行うことができる。更に、支持脚１３０を接地面に接地するのに要する領域が少なくて済む。このとき、接地面に対する支持脚１３０の接地効果を、滑り止め部１３６によってより確実なものとすることができる。
【００４０】
また上記実施の形態によれば、支持脚１３０の長さ調整を行うための調整機構を設けることによって、本体部１０３が支持脚１３０によって支持された状態で当該支持脚１３０の長さ調整を行うことができ、支持脚１３０の長さ調整を行いつつ打撃作業を行うような作業形態の要請に応えることができる。
【００４１】
また上記実施の形態によれば、本体部１０３の既存のサイドハンドル１１５に被取り付け部１２０に設けることによって、支持脚１３０を取り付けるための部品を新たに設ける必要がなく、支持脚１３０のための部品点数を抑えることが可能となる。この場合、サイドハンドル１１５は、作業者によって把持されるという本来の機能に加えて、支持脚１３０を取り付けるための領域を提供するという機構も兼ね備えるため合理的である。
【００４２】
〔他の実施形態〕
なお、本発明は上記の実施の形態のみに限定されるものではなく、種々の応用や変形が考えられる。例えば、上記実施の形態を応用した次の各形態を実施することもできる。
【００４３】
上記実施の形態では、本体部１０３の被締付部１０４に設けられたサイドハンドル１１５に、支持脚１３０を取り付ける被取り付け部１２０を設ける場合について記載したが、本発明では、本体部１０３自体や、本体部１０３に取り付けられたサイドハンドル１１５以外の他の部材に、被取り付け部１２０に相当する部位を設けることもできる。
【００４４】
また上記実施の形態では、支持脚１３０を一直線上に延在する１つ（１本）の長尺部材として構成する場合について記載したが、本発明では、複数の長尺部材によって支持脚を構成することもできる。この場合、複数の長尺部材のうちの少なくとも１つがハンマビット１１９の打撃方向と交差して延在する構成であるのが好ましい。また、上記支持脚１３０に代えて、ハンマビット１１９の打撃方向と交差して延在する領域を含む曲線状の長尺部材を用いることもできる。
【００４５】
また上記実施の形態では、支持脚１３０側のネジ山１３０ｂと収容筒部１２１側（工具本体側）のネジ溝１２１ａとの螺合によって、サイドハンドル１１５に支持脚１３０が取り付けられる場合について記載したが、本発明では、工具本体側の突部に形成されたネジ山が、支持脚側の凹部に形成されたネジ溝に螺合する構成を採用することもできる。また、必要に応じては、ネジ山及びネジ溝の螺合による取り付け構造以外の取り付け構造を採用することもできる。
【００４６】
また上記実施の形態では、打撃工具の一例として電動ハンマに本発明を適用する場合について記載したが、この電動ハンマ以外の打撃工具、例えばハンマビットが当該ハンマビットの長軸に沿った打撃動作と、長軸まわりの回転動作の双方を行うハンマドリルに対して本発明を適用することもできる。また、本発明では、打撃工具は、電動モータによって駆動される電動式以外に、エア駆動式として構成されてもよい。
【００４７】
（態様１）
本発明では、「被加工材に対し先端工具を介して打撃作業を行う打撃工具であって、前記先端工具が装着される工具本体と、前記工具本体に収容され、前記打撃作業時に前記先端工具を所定の打撃方向に駆動するための駆動機構と、前記工具本体に設けられ、前記工具本体を支持するための支持脚が作業者によって取り外し自在に取り付けられる被取り付け部と、を備えることを特徴とする打撃工具。」という態様を採り得る。
本態様によれば、工具本体に支持脚用の被取り付け部を設けることによって、打撃作業時に被取り付け部に取り付けた支持脚を介して工具本体を支持することができ、これにより打撃作業時の作業者負担を軽減させることができる。
【００４８】
（態様２）
また本発明では、「被加工材に対し先端工具を介して打撃作業を行う打撃工具に取り付けられる打撃工具用支持脚であって、前記打撃工具の被取り付け部に作業者によって取り外し自在に取り付けられ、前記被取り付け部に取り付けられた状態で、前記先端工具の打撃方向と交差する方向に延在する要素を含むように構成されていることを特徴とする打撃工具用支持脚。」という態様を採り得る。
本態様によれば、打撃工具用支持脚を打撃工具の被取り付け部に取り付けることによって、打撃作業時に打撃工具を支持することができ、これにより打撃作業時の作業者負担を軽減させることができる。また、打撃工具用支持脚を打撃工具の被取り付け部に取り付けた状態で打撃作業を行う際に、先端工具の打撃方向の動作が打撃工具用支持脚によって阻害されるのを抑えることができる。
【符号の説明】
【００４９】
１０１  電動ハンマ
１０３  本体部
１０３ａ  第１の端部領域
１０３ｂ  第２の端部領域
１０４  被締付部
１０５  電動モータ
１０７  運動変換機構
１０９  打撃要素
１１１  ツールホルダ
１１３  メインハンドル
１１３ａ  把持部
１１５  サイドハンドル
１１５ａ  締付部
１１５ｂ  把持部
１１６，１１７  締付アーム
１１６ａ，１１７ａ  一方の端部
１１６ｂ，１１７ｂ  他方の端部
１１６ｃ  連結軸
１１８  ネジ部材
１１８ａ  ネジ軸
１１８ｂ  操作部
１１９  ハンマビット
１２０  被取り付け部
１２１  収容筒部
１２１ａ  ネジ溝
１３０  支持脚
１３０ａ  一方の端部
１３０ｂ  ネジ山
１３０ｃ  他方の端部
１３１  第１の筒体
１３２  第２の筒体
１３３  バネ部材
１３３ａ  一方の端部
１３３ｂ  他方の端部
１３４  ガイド孔
１３４ａ  上縁
１３４ｂ  下縁
１３５  ガイドピン
１３６  滑り止め部材
１３７  貫通孔
Ｇ  接地面
Ｗ  被加工材
【図１】
2012254485.tif 000003
【図２】
2012254485.tif 000004
【図３】
2012254485.tif 000005
【図４】
2012254485.tif 000006
【図５】
2012254485.tif 000007
【図６】
2012254485.tif 000008
【図７】
2012254485.tif 000009